(57)【特許請求の範囲】
【請求項１】
車体上部のボディサイドインナパネル及びルーフパネルを覆い且つカーテンエアバッグを収納する車体上部の内装であるヘッドライニングが車両側面のウインドウシールドとの間に構成する仕舞端近傍において、ボディサイドインナパネルに１以上のエクステンションパネルを配設し、該エクステンションパネルに上部デュアルロックファスナーを配設し、該上部デュアルロックファスナーに相対するべく前記ヘッドライニングに下部デュアルロックファスナーを配設し、該上部デュアルロックファスナー及び該下部デュアルロックファスナーが契合することにより、前記ヘッドライニングの仕舞端の形成を確保し、車両衝突時等においては前記カーテンエアバッグが展開する動作により、前記上部デュアルロックファスナーと前記下部デュアルロックファスナーの契合が解けて前記カーテンエアバッグが展開すべき開口部が形成され、前記カーテンエアバッグが所期の展開をすることを特徴とする、カーテンエアバッグ収納展開に対応する車体ヘッドライニングの構造。
【発明の詳細な説明】
【０００１】
【発明の属する技術分野】
本発明は、カーテンエアバッグ収納展開に対応する車体ヘッドライニングの構造に関する技術分野に属する。
【０００２】
【従来の技術】
図３に車体ボディサイドインナパネル廻りの従来構造の軸直角断面を示す。車両衝突時などにボディサイドインナパネル７乃至はエアコンダクト９などへの乗員の頭部衝撃を緩和する緩衝材の目的で車内上部ヘッドライニング１３が配設される。ヘッドライニング１３は乗員保護の緩衝材の機能とともにカーテンエアバッグ１２を収納する機能を有している。
【０００３】
従来技術に於いては図３に示すように、カーテンエアバッグ１２の展開を容易にするためヘッドライニング１３とウインドウシールド１１の間の仕舞端１３ａにおいてはヘッドライニング１３をボディサイドインナパネル７に固定すべき機構は設けられていない。車両衝突時等には図４に示すようにカーテンエアバッグ１２が展開するにしたがって、その展開力によりカーテンエアバッグ１２がヘッドライニング１３の端部１３ａを押し広げて開口部１２ａを形成しつつ、車内側面にカーテン状に展開する。
【０００４】
図３及び図４に示す従来技術においては、上記のようにカーテンエアバッグ１２の展開を容易にするためヘッドライニング１３とウインドウシールド１１の間の仕舞端１３ａにおいてはヘッドライニング１３をボディサイドインナパネル７に固定すべき機構は設けられておらず、前記ヘッドライニング１３の仕舞端１３ａが機構的には支持部がない自由端となっている。このため車両の長期使用の間には、振動、衝撃、重力などによって図３に示すようにヘッドライニング１３の仕舞端１３ａに垂れ下がり部１４が形成されやすく、商品の質の低下を招くおそれがある。また製造上は前記ヘッドライニング１３の自由端である仕舞端１３ａをボディサイドインナパネル７に沿って設置成形するため、製造工数が増加しやく外観仕上がりの品質管理も困難になるおそれがある。
【０００５】
さらに前記のような成形上の問題点を解決するためヘッドライニング１３の仕舞端１３ａの剛性を上げるなどの解決方法も考えられるが、製造コストも増加し、且つカーテンエアバッグ１２の展開には不利となるおそれがある。
【０００６】
カーテンエアバッグをヘッドライニング付近に収納し展開させる構造の例としては、特開平１１―５９３１３が挙げられるが、この構造においては種々の車種、種々の部位に対してガス圧からエアバッグ袋体を容易に保護できるように、エアバッグ自体の構造を提供するのが主旨であり、エアバッグ収納展開部を安定した構造で提供しようとする具体案ではない。また車両にデュアルロックファスナーを利用する例としては実開平５―１３８１３に提供される構造が挙げられるが、この例においてはファスナーで固定する構造のサンルーフ車のヘッドライニングを工具を使用しなくても容易に着脱することが考案の主旨であり、エアバッグ収納展開部を安定した構造で提供しようとする具体案ではない。
【０００７】
【発明が解決しようとする課題】
上記のようにカーテンエアバッグが展開する際にカーテンエアバッグ展開性を損なうことなく、ヘッドライニングの構造を製造コストを抑え、且つ品質を安定させる必要がある。
【０００８】
そこで本発明は、ヘッドライニングのウインドウシールド側仕舞端を簡易固定し、カーテンエアバッグ展開性を損なうことなく、ヘッドライニングの製造および組み立てコストを抑え、且つ品質を安定させる構造を提供するものである。
【０００９】
【課題を解決するための手段】
本発明は上記課題を解決するため、車体上部のボディサイドインナパネル及びルーフパネルを覆い且つカーテンエアバッグを収納する車体上部の内装であるヘッドライニングが車両側面のウインドウシールドとの間に構成する仕舞端近傍において、ボディサイドインナパネルに１以上のエクステンションパネルを配設し、該エクステンションパネルに上部デュアルロックファスナーを配設し、該上部デュアルロックファスナーに相対するべく前記ヘッドライニングに下部デュアルロックファスナーを配設し、該上部デュアルロックファスナー及び該下部デュアルロックファスナーが契合することにより、前記ヘッドライニングの仕舞端の形成を確保し、車両衝突時等においては前記カーテンエアバッグが展開する動作により、前記上部デュアルロックファスナーと前記下部デュアルロックファスナーの契合が解けて前記カーテンエアバッグが展開すべき開口部が形成され、前記カーテンエアバッグが所期の展開をすることを特徴とする、カーテンエアバッグ収納展開に対応する車体ヘッドライニングの構造を創案するものである。
【００１０】
【発明の実施の形態】
図１に本発明の実施の形態における車体ボディサイドインナパネル廻りの軸直角断面においてカーテンエアバッグ４が収納された状態を示す。車両衝突時などにボディサイドインナパネル７乃至はエアコンダクト９などへの乗員の頭部衝撃を緩和する緩衝材の目的で車内上部ヘッドライニング５が配設される。ヘッドライニング５は乗員保護の緩衝材の機能とともにカーテンエアバッグ４を収納する機能を有している。ボディサイドインナパネル７の下部にエクステンションパネル３が配設され、該エクステンションパネル３の下部に上部デュアルロックファスナー１が配設される。ヘッドライニング５の面であって前記上部デュアルロックファスナー１に相対する位置に下部デュアルロックファスナー２が配設される。
【００１１】
通常の車両の使用状態においてはエクステンションパネル３に配設される上部デュアルロックファスナー１及びヘッドライニング５に配設される下部デュアルロックファスナー２が互いに契合されて、ボディサイドインナパネル７のウインドウシールド１１側においてヘッドライニング５の仕舞部を確実に構成する。したがって、車両の長期使用の間においても、振動、衝撃、重力などによって図３に示すようにヘッドライニング１３の仕舞端１３ａに垂れ下がり部１４が形成されず、商品の質の低下を招くおそれがない。また製造上は図１に示すように、ヘッドライニング５の端部を上部デュアルロックファスナー１及び下部デュアルロックファスナー２の契合によりボディサイドインナパネル７に沿って設置成形することにより、ヘッドライニング５のウインドウシールド１１側の仕舞部を容易に形成することができるため、製造工数を増加することなく且つ外観仕上がりの品質管理も容易になる。
【００１２】
車両衝突時等には図２に示すようにカーテンエアバッグ４が展開するにしたがって、その展開力によりカーテンエアバッグ４が上部デュアルロックファスナー１と下部デュアルロックファスナー２の契合を解き、ヘッドライニング５の端部を押し広げて開口部４ａを形成しつつ、車内側面にカーテン状に展開する。前記上部デュアルロックファスナー１と下部デュアルロックファスナー２の契合する力は、その一般的な構造上カーテンエアバッグ４の展開力に抗するほどの大きさは具備していないため、上記のようにカーテンエアバッグ４の展開を妨げることがなく図２に示すように容易に開口部４ａを形成する。
【００１３】
【発明の効果】
１）エクステンションパネルに配設される上部デュアルロックファスナー及びヘッドライニングに配設される下部デュアルロックファスナーが互いに契合されて、ボディサイドインナパネルのウインドウシールド側においてヘッドライニングの仕舞部を確実に構成する。したがって、車両の長期使用の間においても、振動、衝撃、重力などによってヘッドライニングの仕舞端に垂れ下がり部が形成されず、商品の質の低下を招くおそれがない。
２）製造上はヘッドライニング５端部を上部デュアルロックファスナー及び下部デュアルロックファスナーの契合によりボディサイドインナパネルに沿って設置成形することにより、ヘッドライニングのウインドウシールド側の仕舞部を容易に形成することができるため、製造工数を増加することなく且つ外観仕上がりの品質管理も容易になる。
３）上部デュアルロックファスナーと下部デュアルロックファスナーの契合する力は、その一般的な構造上カーテンエアバッグの展開力に抗するほどの大きさは具備していないため、カーテンエアバッグの展開を妨げることがない。
４）ヘッドライニングが上部デュアルロックファスナーと下部デュアルロックファスナーで整理されるため、カーテンエアバッグが展開した後であってもヘッドライニングの形状復元が容易となる。
【図面の簡単な説明】
【図１】本発明の実施の形態における車体ボディサイドインナパネル廻りの軸直角断面においてカーテンエアバッグが収納された状態を示す。
【図２】本発明の実施の形態における車体ボディサイドインナパネル廻りの軸直角断面においてカーテンエアバッグが展開した状態を示す。
【図３】従来技術における車体ボディサイドインナパネル廻りの軸直角断面においてカーテンエアバッグが収納された状態を示す。
【図４】従来技術における車体ボディサイドインナパネル廻りの軸直角断面においてカーテンエアバッグが展開される状態を示す。
【符号の説明】
１      上部デュアルロックファスナー
２      下部デュアルロックファスナー
３      エクステンションパネル
４      カーテンエアバッグ
４ａ    開口部
５      ヘッドライニング
６      ボディサイドパネル
７      ボディサイドインナパネル
８      ルーフパネル
９      エアコンダクト
１０    ウエザーストリップ
１１    ウインドウシールド
【図１】
0003707331.tif 000002
【図２】
0003707331.tif 000003
【図３】
0003707331.tif 000004
【図４】
0003707331.tif 000005